(57)【要約】【課題】  従来のシュレッダー装置では、幼児等の細い指の場合、シート挿入口の奥まで入ってしまうため、シート挿入口の開口から切断刃までの距離が短い従来品は、必然的に指の先端が切断刃に触れてしまい、誤って指先を切断するという事故が発生していた。【解決手段】  裁断すべきシートを挿入するシート挿入口を有するシュレッダー装置に取り付ける指巻込防止具であって、前記シートを挿入可能な大きさを有する貫通孔と、前記シュレッダー装置と接する接触面とを有するカバー本体と、前記貫通孔が前記シート挿入口と連通するように前記カバー本体を前記接触面において前記シュレッダー装置に対して取り外し自在に取り付ける取り付け手段とを有している。【選択図】図３
2008105004.tif 000002
【特許請求の範囲】
【請求項１】
裁断すべきシートを挿入するシート挿入口を有するシュレッダー装置に取り付ける指巻込防止具であって、
前記シートを挿入可能な大きさを有する貫通孔と、前記シュレッダー装置と接する接触面を有するカバー本体と、
前記貫通孔が前記シート挿入口と連通するように前記カバー本体を前記接触面において前記シュレッダー装置に対して取り外し自在に取り付ける取り付け手段とを有する指巻込防止具。
【請求項２】
前記取り付け手段は両面テープ、面ファスナー、磁石の何れかからなることを特徴とする請求項１に記載の指巻込防止具。
【請求項３】
裁断すべきシートを挿入するシート挿入口を有するシュレッダー装置において、前記シートを挿入可能な大きさを有する貫通孔を有するカバー本体が、前記貫通孔が前記シート挿入口と連通するように、形成されていることを特徴とするシュレッダー装置。
【請求項４】
前記カバー本体は、取り外し可能であることを特徴とする請求項３に記載のシュレッダー装置。
【発明の詳細な説明】
【技術分野】  本発明は、シュレッダー装置のシート挿入口に指巻込防止具を取り付けて、指等の切断事故を防止するためのものである。
【背景技術】  従来のシュレッダー装置は、作業員等の指が巻き込まれないようにするため、シート挿入口の開口部の幅を指等が入らない程度に狭くしていた。
【発明の開示】
【発明が解決しようとする課題】  しかしながら、それらのシュレッダー装置では、幼児等の細い指の場合、シート挿入口の奥まで入ってしまうため、シート挿入口の開口から切断刃までの距離が短い従来品は、必然的に指の先端が切断刃に触れてしまい、誤って指先を切断するという事故が発生していた。
また、シート挿入口の開口部の幅が狭いため、一度に粉砕する紙、ＣＤ、その他挿入できる粉砕物の枚数が限られてしまい、粉砕能力があるにもかかわらず効率の良い作業ができない状況にあった。
本発明は、以上の課題に鑑み開発されたものであり、指の巻き込みを防止しつつ、尚かつ、シュレッダー装置の処理能力を充分に発揮させ、作業効率の良いシュレッダー装置を提供することにある。
【課題を解決するための手段】  上記の課題を解決するための本発明は、裁断すべきシートを挿入するシート挿入口を有するシュレッダー装置に取り付ける指巻込防止具であって、前記シートを挿入可能な大きさを有する貫通孔と、前記シュレッダー装置と接する接触面とを有するカバー本体と、前記貫通孔が前記シート挿入口と連通するように前記カバー本体を前記接触面において前記シュレッダー装置に対して取り外し自在に取り付ける取り付け手段とを有する指巻込防止具であり、また、前記取り付け手段は両面テープ、面ファスナー、磁石の何れかからなる指巻込防止具を提供するものである。
更に、裁断すべきシートを挿入するシート挿入口を有するシュレッダー装置において、前記シートを挿入可能な大きさを有する貫通孔を有するカバー本体が、前記貫通孔が前記シート挿入口と連通するように、形成されているシュレッダー装置であり、また、前記カバー本体は取り外し可能であるシュレッダー装置を提供するものである。
【発明の効果】  以上の説明のように、シュレッダー装置のシート挿入口に前述のカバー本体を取り付けることにより、幼児等が誤ってそのカバー本体の貫通孔から指を入れても、裁断刃に届かない程度の深さがあるため、巻き込んで切断するという事故は防止できる。
またその指巻込防止具の貫通孔の幅を調整することによって、シュレッダー装置のシート挿入口の開口を広くすることができるため、一度に粉砕できる枚数を増やすことができ、シュレッダー装置が本来もっている粉砕能力を、充分に発揮させることができる。
【発明を実施するための最良の形態】  次に、本発明のシュレッダー装置の指巻込防止具の一実施形態を、図面に基づいて説明するが、これらの技術的範囲に限定されるものではない。
図１は、従来のシュレッダー装置の斜視図である。シュレッダー装置１１は、粉砕する紙、ＣＤ、その他挿入できる粉砕物を挿入するシート挿入口１２からなる構造をしている。
図２は、本発明の一実施形態に係るシュレッダー装置に取り付ける指巻込防止具の斜視図である。本実施形態に係るシュレッダー装置の指巻込防止具は、前面衝立２２、左面衝立２３、後面衝立２４、右面衝立２５、カバー本体２６、接着面２７から構成されており、前面衝立２２、左面衝立２３、後面衝立２４、右面衝立２５は、側面どうして接合または、一体化されて枠状（以下、指巻込防止枠と称す）になっている。指巻込防止枠の底面とカバー本体２６が接合はたは、一体化されおり、カバー本体２６の底面にはシュレッダー装置と接合するための接着面２７がある。指巻込防止枠とカバー本体２６と接着面２７は、貫通孔２８と連通している。接着面２７は、両面テープ、面ファスナー、磁石のいずれからなる。
図３は、図１の従来のシュレッダー装置に図２の指巻込防止具を取り付けたシュレッダー装置である。取り付け方法は、指巻込防止具のカバー本体２６の底面の接着面２７に取り付けている両面テープ、面ファスナー、磁石のいずれかのもので接着する。本接着方法で、両面テープ、面ファスナー、磁石の性質により自在に取り付け、取り外しができる。接着位置は、指巻込防止具の貫通孔とシート挿入口１２が連通するように接着する。粉砕する紙、ＣＤ、その他粉砕物は、シート挿入口１２と連通する貫通孔２８から挿入することにより粉砕することができる。本発明の実施例として下記がある。
図４は、本発明の他の実施例を説明するための斜視図である。図４に示すように接着面２７に両面テープ、面ファスナー、磁石以外の接着剤にてシュレッダー装置に接着し、指巻込防止枠４１をスライドさせて取り付け自在にする構造もできる。
指巻込防止具の長さを収縮自在にすることにより、どのような長さのシート挿入口１２にあわせることもできる。
指巻込防止具高さを収縮自在にし、シート挿入口１２までの高さを調整することができる。
カバー本体が収縮しシュレッダー装置の上面の覆う範囲を自在にできる。
本発明は、以上のように述べた実施形態に限定されるものでなく、例えば「右面」と記されたものは「左面」も含まれるものであり、「前面」と記されたものは「後面」も含まれるものであり、それぞれ類推できる範囲を含むものである。
【図面の簡単な説明】
【図１】従来のシュレッダー装置の斜視図である。
【図２】本発明の一実施形態に係る指巻込防止具の斜視図である。
【図３】本発明のシュレッダー装置の指巻込防止具の取り付けた斜視図である。
【図４】本発明の他の実施例を説明するための斜視図である。
【符号の説明】
１１  シュレッダー装置
１２  シート挿入口
２２  前面衝立
２３  左面衝立
２４  後面衝立
２５  右面衝立
２６  カバー本体
２７  接着面
２８  貫通孔
４１  指巻込防止枠
【図１】
2008105004.tif 000003
【図２】
2008105004.tif 000004
【図３】
2008105004.tif 000005
【図４】
2008105004.tif 000006